(57)【要約】【課題】電気融着継手と樹脂管を電気融着する際に用いる電気融着装置で、施工融着した継手の位置情報取得方法として装置本体にＧＰＳアンテナを内蔵する方法があるが、それでは、正確な位置情報取得のために装置本体を継手近傍へ、都度移動することの煩雑さと、ケーブルを引き伸ばして融着する際に発生する、ＧＰＳアンテナのある装置本体と引き伸ばしたケーブルとの位置情報誤差と、継手本体に位置情報の読み書き可能なＩＣタグを付属する方法による、継手一本一本に取り付ける手間と、コストアップと、が課題としてある。【解決手段】ＧＰＳ衛星から送られてくるＧＰＳ信号を受信するＧＰＳアンテナを樹脂製の電気融着コネクタ内部に備えることで、施工者が意識することなく電気融着継手の近傍で正確な位置情報の取得を可能としたことを特徴とする継手と樹脂管を施工融着する際に用いる電気融着装置の電気融着コネクタ。【選択図】図１
2017106577.tif 000002
【特許請求の範囲】
【請求項１】
電気融着継手と樹脂管を電気融着する際に用いる、内部に金属製の電極を有し、外装を樹脂製とする電気融着装置のコネクタにおいて、電気融着継手の融着位置情報取得手段として、ＧＰＳ衛星から送られてくるＧＰＳ信号の受信をするためのＧＰＳアンテナを電気融着コネクタ内部に備えることで、施工者が意識することなく電気融着継手の近傍で正確な位置情報の取得を可能としたことを特徴とする電気融着コネクタ。
【請求項２】
請求項１記載のＧＰＳアンテナ内蔵電気融着コネクタによる位置情報取得手段を利用して、電気融着継手のバーコードが読み込まれた時と、電気融着コネクタが電気融着継手に接続された時と、融着が開始した時と、の少なくとも一つを、継手近傍の位置情報取得の開始条件とすることを特徴とする位置情報取得方法。
【請求項３】
請求項１記載の、ＧＰＳアンテナ内蔵電気融着コネクタによる位置情報取得手段を利用して、電気融着コネクタを電気融着継手から外した時と、融着終了した時と、の少なくとも一つを、継手近傍の位置情報取得の停止条件とすることを特徴とする位置情報取得方法。
【発明の詳細な説明】
【技術分野】
【０００１】
本発明は、電気融着継手と、樹脂管と、を施工融着する際に用いる電気融着装置の電気融着コネクタに関するものである。
【背景技術】
【０００２】
近年、電気融着装置の電気融着コネクタを介して、電気融着継手に設けられた端子に融着電力を供給し、加熱することで継手本体と、樹脂管の継手と、コネクタ接合部と、を溶融して管と管とを融着する施工融着方法が用いられている。
【０００３】
また、電気融着装置で電気融着継手を施工融着する際、装置本体に備えられているバーコードスキャナで、継手に付属されているバーコードを読み込み、読み込んだ情報を装置内部で解読することで、継手の融着条件と、種類と、口径と、製造年月日と、メーカ名と、のいずれか一つから構成される製造情報と、が取得することができ、その取得した融着条件と製造情報を元に継手を施工融着し、その際の融着条件と、結果と、製造情報と、が融着結果記録として装置本体内部の記録部に保存する。
【０００４】
しかし、その電気融着継手に付属のバーコード自体に不良等があることがわかった時は、継手を直ちに交換しなければならないが、継手が目に付かない場所や、埋設された後では、その継手位置を探しだすのは困難であり、交換作業に非常に手間と時間がかかってしまう。
【０００５】
そこで下記特許文献１，２では、電気融着装置本体内または、本体に接続されるようにＧＰＳ衛星から送られてくるＧＰＳ信号を受信するためのＧＰＳアンテナを設置することで、電気融着継手を施工融着した際に位置情報を取得し、その位置情報に加え融着条件と、結果と、継手情報と、が融着結果記録として装置本体内部の記録部に保存される。また、特許文献３では継手に位置情報の読み書きが可能なＩＣタグを添付し、装置本体に備えられているスキャナで読み込むことによる、位置情報の取得と、ＩＣタグへの位置情報の書き込みを実現させている。
【先行技術文献】
【特許文献】
【０００６】
【特許文献１】JPA_2011089600
【特許文献２】JPA_1997242976
【特許文献３】JPA_1997026060
【発明の概要】
【発明が解決しようとする課題】
【０００７】
しかしながら、下記特許文献１，２の様な電気融着装置本体もしくは本体に接続されるように、ＧＰＳアンテナを設置した場合に、正確な位置情報を取得するには、装置本体を実際に施工融着する電気融着継手の近傍に都度移動する必要がある。また数メートルある電気融着ケーブルを伸ばして継手を施工融着すると、伸びたケーブル分とＧＰＳアンテナのある本体との位置情報誤差が発生し、正確な位置情報の取得が出来ない。一方で、特許文献３の様な継手本体にＩＣタグを添付する場合、継手の一本一本にＩＣタグを付ける手間と、ＩＣタグ添付による継手本体のコストアップと、が懸念される。
【０００８】
従って、本発明の目的は、施工融着した電気融着継手の正確な位置情報取得にあたり、特許文献１，２のような電気融着装置本体を、施工者により意識的に、都度継手近傍に移動させる煩雑さと、電気融着ケーブルを伸ばし施工融着する際に発生するＧＰＳアンテナ内蔵の装置本体との位置情報誤差と、また特許文献３のような継手本体にＩＣタグを付ける手間と、コストアップと、が解決したＧＰＳアンテナ内蔵電気融着コネクタを提供することを目的とする。
【課題を解決するための手段】
【０００９】
請求項１に係わる発明は、電機融着継手と、樹脂管と、を施工融着する際に用いる、電気融着装置に備えられている電気融着コネクタであって、コネクタ本体にＧＰＳデータを受信するためのＧＰＳアンテナを内蔵することを特徴とする。
【００１０】
本発明によると、電気融着継手を施工融着する電気融着コネクタに位置情報取得を行う、ＧＰＳアンテナを入れることで、ＧＰＳアンテナを内蔵した電気融着装置本体を電気融着継手近傍へ、都度移動させることの煩雑さと、電気融着ケーブルを引き伸ばし施工融着した際に発生する、ＧＰＳアンテナ内蔵の装置本体と継手との位置情報誤差と、また継手一つ一つにＩＣタグを付属する手間と、コストアップと、を解決可能とするものである。
【００１１】
請求項２、３に係わる発明は、請求項１記載のＧＰＳ内蔵の電気融着コネクタを利用し、位置情報を取得する位置情報取得方式であって、電気融着継手のバーコードが読み込まれた時と、コネクタが継手に接続された時と、施工融着が開始した時と、の少なくとも一つを、位置情報取得の開始条件とし、コネクタを継手から外した時と、施工融着終了した時と、の少なくとも一つを、位置情報取得の停止条件とすることを特徴とする。
【００１２】
本発明によると、随時位置情報を取得しているＧＰＳアンテナより、位置情報の取得開始から取得終了までの期間を限定することで、継手の近傍にいる場合のみ位置情報を取得することになり、継手近傍なのかどうか不確かな位置情報を除き、正確な位置情報の取得が可能とするものである。
【図面の簡単な説明】
【００１３】
【図１】ＧＰＳアンテナを内蔵した電気融着コネクタ図である
【図２】ＧＰＳアンテナを内蔵した電気融着コネクタを備えた電気融着装置のブロック図である。
【図３】ＧＰＳアンテナを内蔵した電気融着コネクタを利用し、電気融着継手の位置情報を取得する方法を示したフローチャート図である。
【発明を実施するための形態】
【００１４】
ＧＰＳ衛星から送られてくるＧＰＳ信号を受信するＧＰＳアンテナを電気融着コネクタ内部に備えることで、施工者が意識することなく施工継手の近傍で正確な位置情報の取得を可能としたことを特徴とする電気融着継手と樹脂管を施工融着する際に用いる電気融着装置の電気融着コネクタを提供することを実現した。
【００１５】
以下、本発明の実施例を図に基づいて説明する。
【実施例】
【００１６】
実施例１は、電気融着装置に付属のＧＰＳアンテナ内蔵電気融着コネクタである。
【００１７】
図１は、本発明であるＧＰＳ衛星から送られてくるＧＰＳ信号を受信するためのＧＰＳアンテナを、内蔵した電気融着コネクタを示す図であり、電気融着コネクタ１は、電気融着ケーブル１１と、主電極１２と、ＧＰＳアンテナ１３と、同軸ケーブル１３１と、で構成されている。
【００１８】
樹脂製である電気融着コネクタ１は、電気融着装置に接続の電気融着ケーブル１１より、電流が流れることで、主電極１２の先に接合する電気融着継手を施工融着し、またＧＰＳ衛星から送られてくるＧＰＳ信号の受信をするためのＧＰＳアンテナ１２を、コネクタの蓋裏に配置していることにより、随時ＧＰＳアンテナで受信した位置情報は同軸ケーブル１３１を伝って、電気融着装置本体に送信されている。
【００１９】
また、本実施例１では、ＧＰＳアンテナのみを電気融着コネクタに配置しているが、位置情報取得部としての位置測位モジュールと、信号の増幅器と、一体化して配置し、同軸ケーブルの代わりとして信号ケーブルを用いて、電気融着装置本体に信号を送信するようにしてもよい。
【００２０】
また、本実施例１では、ＧＰＳアンテナを樹脂製の電気融着コネクタの蓋裏に配置しているが、コネクタ本体内の側面、または底面でもよい。
【００２１】
また、本実施例１では、ＧＰＳ衛星からの送られてくるＧＰＳ信号を受信するためのＧＰＳアンテナを内蔵とあるが、位置情報を送信する他国の衛星、例えばロシアのＧＬＯＮＡＳＳ，ヨーロッパのＧＡＬIＬＥＯなどの衛星から送信される位置情報を取得するアンテナであってもよい。
【００２２】
実施例２は、実施例１記載のＧＰＳアンテナを内蔵した電気融着コネクタを備え、ＧＰＳアンテナからの位置情報を利用し施工融着を行う電気融着装置である。
【００２３】
図２は、本発明であるＧＰＳ衛星から送られてくるＧＰＳ信号を受信するためのＧＰＳアンテナを、内蔵した電気融着コネクタを備えた電気融着装置のブロック構造図であり、電気融着装置２は、電気融着コネクタ１と、ＧＰＳアンテナ１３と、電気融着ケーブル１１と、外部電源３と、制御部２１と、記録部（不揮発性メモリー）２１１と、表示部２１２と、操作部２１３と、継手情報処理部２１４と、融着出力部兼位置情報取得部２１５と、で構成され、バーコードスキャナ４は、電気融着装置２に接続されており、電気融着継手５は、電気融着コネクタ接合部５１と、バーコード５２と、で構成されている。
【００２４】
外部電源３より制御部２１に電源を供給し、制御部２１は、施工融着結果を保存する記録部（不揮発性メモリ）２１１と、画面表示を行う表示部２１２と、装置本体の電源の入り切りや、電気融着のリセットや、数字の入力を行うボタンの付いた操作部２１３と、継手情報を処理する継手情報処理部２１４と、継手の融着出力や位置情報の取得を行う、融着出力部兼位置情報取得部２１５と、を制御している。バーコードスキャナ３で、電気融着継手４に付属の融着条件や継手情報の書き込まれたバーコード４２を読み込み、読み込んだバーコード内容を継手情報処理部２１４で解読し、継手のコネクタ接合部５１に電気融着ケーブル１１の先端に付属の電気融着コネクタ１を接続することにより、融着出力部２１５から融着出力を開始できる。また開始と同時に、電気融着コネクタ１に内蔵のＧＰＳアンテナ１３より随時送られてくる位置情報を位置情報取得部２１５で取得し、融着終了後、融着条件や結果、継手情報や位置情報と共に記録部２１１に保存する。
【００２５】
図３は上記図２のＧＰＳアンテナ１３を内蔵した電気融着コネクタ１を備えた電気融着装置２を用いて、施工融着する電気融着継手５の位置情報取得方法のフローチャート図である。
【００２６】
図３では、ステップＳ１で電気融着継手の施工融着が開始されたかどうかのチェックを行い、施工融着が開始されると、ステップ２で、電気融着コネクタに内蔵のＧＰＳアンテナより位置情報の取得を開始し、ステップ３で、取得した位置情報を内部の記録部に保存し、ステップ４で、施工融着が終了したかどうかのチェックを行い、施工融着が終了していなければそのまま位置情報を取得し続け、施工融着が終了すると、位置情報の取得を終了する。
【００２７】
また、本実施例２では、電気融着コネクタ内蔵のＧＰＳアンテナを利用した位置情報取得開始の条件として、施工融着の開始としているが、電気融着継手に付属のバーコードをバーコードスキャナで読み込んだ時と、コネクタが継手のコネクタ接合部に接続された時と、の少なくとも一つでもよい。
【００２８】
また、本実施例２では、ＧＰＳアンテナからの位置情報を、内部の記録部に保存とあるが、記録部としては電気融着装置内の記録部（不揮発性メモリ）と、装置本体に接続の補助記録媒体と、また揮発性メモリによる一時的な保存と、の少なくとも一つでもよい。
【００２９】
また本実施例２では、電気融着継手の施工融着の終了が位置情報取得の終了としているが、電気融着コネクタが継手から抜かれた時と、エラーにより融着が終了させられた時と、位置情報取得開始からの経過時間と、の少なくとも一つでもよい。
【符号の説明】
【００３０】
１              電気融着コネクタ
１１            電気融着ケーブル
１２            主電極
１３            ＧＰＳアンテナ  
１３１          同軸ケーブル
２               電気融着装置
２１            制御部
２１１         記録部（不揮発性メモリ）
２１２         表示部
２１３         操作部
２１４         継手情報処理部
２１５          融着出力部兼位置情報取得部
３              外部電源
４              バーコードスキャナ
５              電気融着継手
５１            コネクタ接合部
５２           バーコード
【図１】
2017106577.tif 000003
【図２】
2017106577.tif 000004
【図３】
2017106577.tif 000005